(57)【要約】【課題】マクロ撮影時での顔の誤検出を軽減して画像の見栄えを良くすること。【解決手段】パラメータ制御部１０８は、レンズ１０１のレンズ位置または撮影モードに応じて、画像処理部１０５に対して、撮影される画像の色、明るさ、輪郭およびホワイトバランスのいずれかまたはすべてのパラメータを、撮影される被写体の見栄えが最も良くなるようなパラメータに制御し、顔検出部１０７は、レンズ１０１のレンズ位置または撮影モードに応じて、顔検出の検出率（顔検出の精度）を変化させて顔検出を行う。【選択図】図１
2010263481.tif 000002
【特許請求の範囲】
【請求項１】
レンズと、
前記レンズを光軸上の可動範囲内で移動させて前記レンズの焦点を制御する焦点制御手段と、
被写体が顔であることを検出する顔検出を行う顔検出手段と、を具備し、
前記顔検出手段は、マクロ撮影時に、マクロ撮影時以外のときよりも前記顔検出の検出率を下げる、
カメラ。
【請求項２】
前記顔検出手段は、前記レンズが前記可動範囲内のマクロ撮影位置にあるときに前記被写体に対する焦点が合う場合に、前記レンズが前記マクロ撮影位置以外の位置にあるときに前記被写体に対する焦点が合う場合よりも前記顔検出の検出率を下げる、
請求項１記載のカメラ。
【請求項３】
撮影された画像の色、明るさ、輪郭およびホワイトバランスのいずれかまたはすべてのパラメータを制御して前記画像のコントラストを変化させるパラメータ制御手段、をさらに具備し、
前記顔検出手段は、前記レンズが前記マクロ撮影位置にあるときに前記被写体に対する焦点が合い、かつ、前記パラメータ制御手段が前記コントラストを増加させた場合に、前記検出率を下げる、
請求項２記載のカメラ。
【請求項４】
前記顔検出手段は、撮影モードがマクロ撮影モードである場合に、前記撮影モードがマクロ撮影モード以外の撮影モードである場合よりも前記顔検出の検出率を下げる、
請求項１記載のカメラ。
【請求項５】
撮影された画像の色、明るさ、輪郭およびホワイトバランスのいずれかまたはすべてのパラメータを制御して前記画像のコントラストを変化させるパラメータ制御手段、をさらに具備し、
前記顔検出手段は、前記撮影モードが前記マクロ撮影モードであり、かつ、前記パラメータ制御手段が前記コントラストを増加させた場合に、前記検出率を下げる、
請求項４記載のカメラ。
【請求項６】
請求項１から５のいずれかに記載のカメラを搭載する、
携帯電話。
【発明の詳細な説明】
【技術分野】
【０００１】
本発明は、カメラに関する。
【背景技術】
【０００２】
カメラを用いた被写体の撮影において、カメラのユーザは被写体を接写することがある。この接写は一般的にマクロ撮影と呼ばれる。マクロ撮影時の技術に関しては、従来様々なものが提案されている（例えば、特許文献１，２参照）。
【０００３】
また、被写体が顔であることを検出し（顔検出）、撮影される画像の色、明るさ等の各種パラメータを調節して撮影される顔の見栄えを良くする技術がある（例えば、特許文献３参照）。
【先行技術文献】
【特許文献】
【０００４】
【特許文献１】特開２００１−２９００７２号公報
【特許文献２】特開２００３−２４４５３５号公報
【特許文献３】特開２００９−１０７７７号公報
【発明の概要】
【発明が解決しようとする課題】
【０００５】
マクロ撮影時には通常被写体のコントラストが高くなるため、マクロ撮影時に顔検出の機能が動作すると、被写体が顔でないにもかかわらず顔であると認識してしまう誤検出が増加する。例えば、書籍の文面をマクロ撮影する場合、文字の配置が顔の目、鼻、口の配置と類似すると、それらの文字を顔と誤検出してしまうことがある。また例えば、ＡＳＣＩＩ配置を採るキーボードでは「９」，「０」，「Ｏ」の配置が顔の目、鼻、口の配置と類似するため、そのようなキーボードをマクロ撮影する場合、「９」，「０」，「Ｏ」の箇所を顔と誤検出してしまうことがある。
【０００６】
このような誤検出が発生すると、撮影される画像の各種パラメータが最適なものではなくなってしまい、画像の見栄えが損なわれてしまう。
【０００７】
本発明はかかる点に鑑みてなされたものであり、マクロ撮影時での顔の誤検出を軽減して画像の見栄えを良くすることができるカメラを提供することを目的とする。
【課題を解決するための手段】
【０００８】
本発明のカメラは、レンズと、前記レンズを光軸上の可動範囲内で移動させて前記レンズの焦点を制御する焦点制御手段と、被写体が顔であることを検出する顔検出を行う顔検出手段と、を具備し、前記顔検出手段は、マクロ撮影時に、マクロ撮影時以外のときよりも前記顔検出の検出率を下げる構成を採る。
【発明の効果】
【０００９】
本発明によれば、マクロ撮影時での顔の誤検出を軽減して画像の見栄えを良くすることができる。
【図面の簡単な説明】
【００１０】
【図１】本発明の実施の形態１に係るカメラの主要構成を示すブロック図
【図２】本発明の実施の形態２に係るカメラの主要構成を示すブロック図
【発明を実施するための形態】
【００１１】
以下、本発明の実施の形態について図面を用いて説明する。
【００１２】
（実施の形態１）
本実施の形態に係るカメラ１００の主要な構成を図１に示す。
【００１３】
カメラ１００において、レンズ駆動部１０３は、焦点制御部１０６の制御に従って、∞端からマクロ端までを可動範囲とするレンズ１０１を光軸１０２上で移動させる。
【００１４】
撮像素子１０４は、レンズ１０１を介して撮影される画像を画像データに変換して画像処理部１０５に出力する。
【００１５】
画像処理部１０５は、パラメータ制御部１０８の制御に従って、撮影される画像の色、明るさ、輪郭およびホワイトバランスのいずれかまたはすべてのパラメータを変化させる画像処理を行い、撮影される画像のコントラストを最適なコントラストに調節する。画像処理後の画像データは、焦点制御部１０６および顔検出部１０７に逐次出力される。
【００１６】
焦点制御部１０６は、レンズ駆動部１０３を介してレンズ１０１を光軸上の可動範囲内で移動させてレンズ１０１の焦点を制御する。焦点制御部１０６は、例えば、逐次撮影される画像のコントラストの変化を観測し、コントラストの変化にピークが生じるときに被写体に対する焦点が合ったものと判断するコントラスト評価方式（パッシブ方式）による焦点制御を行う。また、焦点制御部１０６は、被写体に対する焦点が合ったレンズ位置を示す信号を顔検出部１０７に出力する。また、焦点制御部１０６は、被写体に対する焦点が合ったレンズ位置が図１に示すようなマクロ撮影位置である場合、撮影モードがマクロ撮影モードであることを示す信号を顔検出部１０７に出力する。なお、図１に示すマクロ撮影位置の範囲は本発明が適用されるカメラ毎に異なる所定の範囲となる。例えば、レンズ１０１と被写体との間の距離が１０ｃｍ以下である場合に被写体に対する焦点が合うときのレンズ位置をマクロ撮影位置と定めることができる。すなわち、マクロ端から所定の範囲がマクロ撮影位置の範囲となる。
【００１７】
顔検出部１０７は、被写体の画像が顔であることを検出し、検出結果をパラメータ制御部１０８に出力する。顔検出部１０７の詳細については後述する。
【００１８】
パラメータ制御部１０８は、画像処理部１０５に対して、撮影される画像の色、明るさ、輪郭およびホワイトバランスのいずれかまたはすべてのパラメータを、撮影される被写体の見栄えが最も良くなるようなパラメータに制御する。
【００１９】
表示部１０９は、画像処理後の画像を表示する。表示部１０９は、例えば液晶モニタ等によって構成される。カメラ１００のユーザは、表示部１０９にプレビュー表示される画像を確認することにより、撮影される画像を確認することができる。
【００２０】
次いで、顔検出部１０７の詳細について説明する。
【００２１】
顔検出部１０７は、レンズ１０１のレンズ位置または撮影モードに応じて、顔検出の検出率（顔検出の精度）を変化させて顔検出を行う。具体的には、顔検出部１０７は、被写体に対する焦点が合ったレンズ位置が図１に示すマクロ撮影位置である場合に、被写体に対する焦点が合ったレンズ位置がマクロ撮影位置以外の位置である場合よりも顔検出の検出率を下げる、すなわち、顔検出の精度を上げる。または、顔検出部１０７は、撮影モードがマクロ撮影モードである場合に、撮影モードがマクロ撮影モード以外の撮影モード（例えば、遠景撮影モード等）である場合よりも顔検出の検出率を下げる、すなわち、顔検出の精度を上げる。このような検出率の低下、または、検出精度の上昇は、例えば被写体が顔であると検出されるための各種パラメータに対する閾値を上げることにより行う。
【００２２】
これにより、マクロ撮影時に被写体が顔であると検出されにくくなる。よって、本実施の形態によれば、マクロ撮影時の顔検出の誤検出を軽減して、マクロ撮影時の画像の見栄えを良くすることができる。
【００２３】
（実施の形態２）
本実施の形態では、マクロ撮影時に、撮影される画像の色、明るさ、輪郭およびホワイトバランスのいずれかまたはすべてのパラメータを変化させてコントラストを増加させることによりマクロ撮影時の画像の見栄えを良くする。
【００２４】
このようにマクロ撮影時に画像のコントラストを意図的に増加させると、顔検出の誤検出がさらに増加してしまう。
【００２５】
そこで、本実施の形態では、以下のようにして、撮影された画像のコントラストが増加された場合に、顔検出の検出率を下げる（顔検出の精度を上げる）。
【００２６】
本実施の形態に係るカメラ２００の主要な構成を図２に示す。図２において図１（実施の形態１）と同一の構成部には同一の符号を付し説明を省略する。
【００２７】
また、以下の説明では、実施の形態１と異なる点についてのみ説明する。
【００２８】
焦点制御部１０６は、被写体に対する焦点が合ったレンズ位置を示す信号をパラメータ制御部２０１および顔検出部２０２に出力する。また、焦点制御部１０６は、被写体に対する焦点が合ったレンズ位置が図１に示すようなマクロ撮影位置である場合、撮影モードがマクロ撮影モードであることを示す信号をパラメータ制御部２０１および顔検出部２０２に出力する。
【００２９】
パラメータ制御部２０１は、画像処理部１０５に対して、撮影される画像の色、明るさ、輪郭およびホワイトバランスのいずれかまたはすべてのパラメータを撮影される被写体の見栄えが最も良くなるようなパラメータに制御する。さらに、パラメータ制御部２０１は、被写体に対する焦点が合ったレンズ位置が図１に示すマクロ撮影位置である場合、または、撮影モードがマクロ撮影モードである場合に、画像処理部１０５に対して、撮影される画像の色、明るさ、輪郭およびホワイトバランスのいずれかまたはすべてのパラメータを変化させてコントラストを増加させる。例えば、パラメータ制御部２０１は、色を鮮やかにする、明るさを増加させる、輪郭を強調する、ホワイトバランスを調節する等して、画像のコントラストを増加させる。また、パラメータ制御部２０１は、コントラストを増加させたことを示す信号を顔検出部２０２に出力する。
【００３０】
顔検出部２０２は、レンズ１０１がマクロ撮影位置（図１）にあるときに被写体に対する焦点が合い、かつ、パラメータ制御部２０１がコントラストを増加させた場合に、顔検出の検出率を下げる、すなわち、顔検出の精度を上げる。または、顔検出部２０２は、撮影モードがマクロ撮影モードであり、かつ、パラメータ制御部２０１がコントラストを増加させた場合に、顔検出の検出率を下げる、すなわち、顔検出の精度を上げる。
【００３１】
これにより、マクロ撮影時に画像のコントラストを意図的に増加させた場合に、被写体が顔であると検出されにくくなる。よって、本実施の形態によれば、マクロ撮影時に画像のコントラストを意図的に増加させた場合でも、顔検出の誤検出を軽減して、マクロ撮影時の画像の見栄えを良くすることができる。
【００３２】
以上、本発明の実施の形態について説明した。
【００３３】
なお、上記実施の形態に係るカメラを携帯電話等の携帯型の通信端末装置に搭載することも可能である。
【００３４】
また、上記実施の形態ではレンズ１０１の可動範囲の端点を所謂機械的な端点として説明したが、図１に示すマクロ端および∞端は所謂光学的な端点であっても良い。
【００３５】
また、上記実施の形態ではマクロ撮影時に顔検出の検出率を下げる（顔検出の精度を上げる）としたが、マクロ撮影時に顔検出機能の動作を停止させても良い。すなわち、上記実施の形態において、マクロ撮影時に顔検出部１０７，２０２の動作を停止させても良い。
【産業上の利用可能性】
【００３６】
本発明は、良好な画質の画像が要望されるデジタルスチルカメラやデジタルビデオカメラ、カメラを備えた携帯電話等の携帯型の通信端末装置、ＰＤＡ等に好適である。
【符号の説明】
【００３７】
１００，２００  カメラ
１０１  レンズ
１０２  光軸
１０３  レンズ駆動部
１０４  撮像素子
１０５  画像処理部
１０６  焦点制御部
１０７，２０２  顔検出部
１０８，２０１  パラメータ制御部
１０９  表示部
【図１】
2010263481.tif 000003
【図２】
2010263481.tif 000004